(57)【特許請求の範囲】
【請求項１】
内視鏡下外科手術において切除された組織を収容する肉薄柔軟な樹脂からなる袋状体と、該袋状体の開口部縁辺に列設された複数の紐通し孔と、該紐通し孔に挿通されて該袋状体の開口部を開閉自在とする閉じ紐とを備え、該組織を該袋状体に収容して体外に摘出し、回収する組織回収袋において、
塑性変形可能な材料からなる１対の脚部と、該脚部の一方の端部で互いに接合する接合部とを有し、前記開口部に沿って着脱自在に装着され、開口時に塑性変形して開口状態を維持する開口維持部材と、
前記開口部に沿って列設され、前記開口維持部材の脚部が着脱自在に挿通される複数の脚部挿通孔とを備え、
前記複数の脚部挿通孔のうち、前記接合部と反対側の端部に形成された脚部挿通孔は、他の脚部挿通孔よりも小型に形成され、
前記脚部は、前記接合部と反対側の端部に細幅部を介して連接され、前記小型に形成された脚部挿通孔を挿通可能であるとともに該脚部挿通孔に係合して抜け止めする係合部を備えることを特徴とする組織回収袋。
【請求項２】
請求項１記載の組織回収袋において、前記脚部挿通孔は、前記開口部と前記紐通し孔と
の間に設けられることを特徴とする組織回収袋。
【発明の詳細な説明】
【技術分野】
【０００１】
本発明は、内視鏡下外科手術において切除された組織を収容して体外に摘出し、回収する組織回収袋に関する。
【背景技術】
【０００２】
従来、前記組織回収袋として、切除された組織を収容する袋状体と、該袋状体の開口部縁辺に列設された複数の紐通し孔と、該紐通し孔に挿通されて該袋状体の開口部を開閉自在とする閉じ紐とを備えるものが知られている（例えば特許文献１参照）。
【０００３】
前記組織回収袋は、ポリエチレン等の無毒性で肉薄柔軟な樹脂製であり、前記袋状体は長方形状の底部をくの字型とし、熱溶着によりシールされている。そして、切除された組織を前記袋状体に収容した後、前記閉じ紐を引くことにより、前記開口部を絞って閉じるようになっている。
【０００４】
前記組織回収袋の使用に当たっては、前記底部を軸として円柱状に巻き取られ、内径５ｍｍ程度の外套管内に収納される。そして、前記組織回収袋は、前記外套管を切開孔から体腔内に導入した後、別の切開孔から体腔内に挿入された鉗子により該外套管から引き出され、展開されることにより使用に供される。
【先行技術文献】
【特許文献】
【０００５】
【特許文献１】実登第３０６３３９０号公報
【発明の概要】
【発明が解決しようとする課題】
【０００６】
しかしながら、前記従来の組織回収袋は、円柱状に巻き取られた状態で外套管内に収納されているので所謂巻き癖がついており、体腔内で該外套管から引き出されたときに、容易に開口することができず、また開口状態を維持することも難しいという不都合がある。
【０００７】
本発明は、かかる不都合を解消して、体腔内で容易に開口することができ、開口状態を維持することができる組織回収袋を提供することを目的とする。
【課題を解決するための手段】
【０００８】
かかる目的を達成するために、本発明は、内視鏡下外科手術において切除された組織を収容する肉薄柔軟な樹脂からなる袋状体と、該袋状体の開口部縁辺に列設された複数の紐通し孔と、該紐通し孔に挿通されて該袋状体の開口部を開閉自在とする閉じ紐とを備え、該組織を該袋状体に収容して体外に摘出し、回収する組織回収袋において、塑性変形可能な材料からなる１対の脚部と、該脚部の一方の端部で互いに接合する接合部とを有し、前記開口部に沿って着脱自在に装着され、開口時に塑性変形して開口状態を維持する開口維持部材と、前記開口部に沿って列設され、前記開口維持部材の脚部が着脱自在に挿通される複数の脚部挿通孔とを備え、前記複数の脚部挿通孔のうち、前記接合部と反対側の端部に形成された脚部挿通孔は、他の脚部挿通孔よりも小型に形成され、前記脚部は、前記接合部と反対側の端部に細幅部を介して連接され、前記小型に形成された脚部挿通孔を挿通可能であるとともに該脚部挿通孔に係合して抜け止めする係合部を備えることを特徴とする。
【０００９】
本発明の組織回収袋は、従来の組織回収袋と同様に円柱状に巻き取られて、内径５ｍｍ程度の外套管内に収納される。そして、前記外套管を切開孔から体腔内に導入した後、別の切開孔から体腔内に挿入された鉗子により該外套管から引き出され、展開されることにより使用に供される。
【００１０】
このとき、本発明の組織回収袋は、前記開口部に沿って装着された開口維持部材を備えるので、該開口維持部材を塑性変形させることにより、該開口部を容易に開口することができる。また、前記開口維持部材は一旦塑性変形させると、該塑性変形は外力が作用しない状況では不可逆であるので、該開口維持部材により該開口部の開口状態を容易に維持することができる。
【００１１】
さらに、前記開口維持部材は着脱自在に装着されている。従って、切除された組織を本発明の組織回収袋に収容した後は、前記開口維持部材を該組織回収袋から取り去ることにより、前記開口部を閉じることが可能になる。
【００１２】
本発明の組織回収袋において、前記開口維持部材は、塑性変形可能な材料からなる1対の脚部と、該脚部の一方の端部で互いに接合する接合部とを備えている。前記塑性変形可能な材料としては、例えば、ポリプロピレン、ポリエチレン、ポリアミド等を挙げることができる。
【００１３】
また、本発明の組織回収袋は、前記開口部に沿って列設され、前記開口維持部材の脚部が着脱自在に挿通される複数の脚部挿通孔を備えることにより、前記開口維持部材を着脱自在に装着することができる。
また、本発明の組織回収袋において、前記脚部は、前記接合部と反対側の端部に前記脚部挿通孔に係合して抜け止めする係合部を備えることにより、開口を準備する間に意図しない状況での前記開口維持部材の脱落を防止することができる。
【００１４】
本発明の組織回収袋において、前記脚部挿通孔は、例えば、前記開口部と前記紐通し孔との間に設けられていてもよく、前記紐通し孔に対して前記開口部と反対側に設けられていてもよい。
【図面の簡単な説明】
【００１６】
【図１】本発明の組織回収袋の一構成例を示す斜視図。
【図２】図１に示す組織回収袋の開口操作を示す斜視図。
【図３】図１に示す組織回収袋の開口部を閉じる操作を示す斜視図。
【図４】本発明の組織回収袋の他の構成例の要部を拡大して示す斜視図。
【図５】本発明の組織回収袋のさらに他の構成例を示す斜視図。
【発明を実施するための形態】
【００１７】
次に、添付の図面を参照しながら本発明の実施の形態についてさらに詳しく説明する。
【００１８】
図１に示すように、本実施形態の組織回収袋１は、切除された組織を収容する袋状体２と、袋状体２の開口部３の開口状態を維持する開口維持部材４とを備えている。
【００１９】
袋状体２は、例えば、ポリエチレン等の無毒性で肉薄柔軟な樹脂からなる円筒状体において、開口部３と反対側の端部が熱溶着されたシーム部５により閉塞されることにより形成されている。また、袋状体２は、開口部３に沿って列設された複数の紐通し孔６と、紐通し孔６に挿通されて開口部３を開閉自在とする閉じ紐７と、開口部３と紐通し孔６との間に列設された脚部挿通孔８とを備えている。
【００２０】
開口維持部材４は、例えば、ポリエチレン等の塑性変形可能な材料からなる１対の脚部９，９と、脚部９，９の一方の端部で互いに接合する接合部１０とを備えている。開口維持部材４は、袋状体２の側方から、脚部９，９が脚部挿通孔８に着脱自在に挿通されている。
【００２１】
組織回収袋１は、使用に当たっては、例えば、開口維持部材４又はシーム部５を軸として円柱状に巻き取られ、内径５ｍｍ程度の外套管（図示せず）内に収納される。そして、前記外套管を切開孔から体腔内に導入した後、別の切開孔から体腔内に挿入された鉗子により該外套管から引き出され、展開される。
【００２２】
前記外套管から引き出された組織回収袋１は、図２に示すように、鉗子（図示せず）により開口維持部材４の脚部９，９をその中央部で互いに離間するように塑性変形させることにより開口部３が開口される。開口維持部材４の脚部９，９は一旦塑性変形させると、該塑性変形は外力が作用しない状況では不可逆であるので、開口維持部材４により開口部３の開口状態が容易に維持される。組織回収袋１は、前述のように開口部３が開口されたならば、ついで開口部３から袋状体２に切除された組織を収容する。
【００２３】
組織回収袋１の開口部３を閉じるときには、図３に示すように、まず、鉗子（図示せず）を用いて開口維持部材４の脚部９，９を脚部挿通孔８から引き抜いて、袋状体２から脱離させる。そして、次に、他の鉗子（図示せず）を用いて閉じ紐７の把持部７ａを把持し、閉じ紐７を引くことにより開口部３を絞って閉じ、組織回収袋１を体外に摘出する。
【００２４】
尚、開口維持部材４の脚部９，９を脚部挿通孔８から引き抜いて、袋状体２から脱離させる操作は、閉じ紐７を引くことにより開口部３を絞った後に行うようにしてもよい。また、組織回収袋１の使用に当たっては、上述のように円柱状に巻き取られた状態で、前記外套管内に収納されることなく、切開孔に挿入されたトロカール等を介して、体腔内に導入されてもよい。
【００２５】
ところで、図１に示す組織回収袋１では、前述のいずれかの方法により体腔内に導入された後、開口部３の開口を準備する間に、意図しない状況で開口維持部材４が脱落することがある。
【００２６】
そこで、組織回収袋１では、図４に示すように、脚部９は、接合部１０と反対側の端部に脚部挿通孔８ａに係合して抜け止めする係合部９ａを備えるようにしてもよい。係合部９ａは、脚部９の端部に細幅部９ｂを介して連設されており、最大幅が脚部９の幅より大きくなっている。一方、脚部挿通孔８ａは、他の脚部挿通孔８より小型であり、細幅部９ｂは挿通可能であるものの、係合部９ａが係合して抜け止めされる大きさに形成されている。
【００２７】
組織回収袋１は、係合部９ａが脚部挿通孔８ａに係合することにより、開口部３の開口を準備する間に開口維持部材４の脱落を防止することができる。一方、開口部３を閉じるときには、袋状体２は肉薄柔軟な樹脂からなるので、係合部９ａを脚部挿通孔８ａに挿通させて、開口維持部材４を袋状体２から引き抜くことができる。
【００２８】
尚、係合部９ａは脚部挿通孔８に係合して抜け止めされる構成となっていればよく、脚部９の端部に細幅部９ｂを介することなく連設されていてもよい。この場合、脚部挿通孔８ａに代えて、通常の脚部挿通孔８が係合部９ａを抜け止めする。
【００２９】
本実施形態の組織回収袋１では、開口部３と紐通し孔６との間に脚部挿通孔８が列設されているが、脚部挿通孔８は、紐通し孔６に対して開口部３と反対側に紐通し孔６の列に沿って列設されていてもよい。また、脚部挿通孔８に代えて、図５に示すように、開口部３の端縁を折り返して、シーム部１１により袋状体２に熱溶着して、袋状体２の一方の側面に入口と出口とを備えるトンネル状の挿通孔１２を形成し、挿通孔１２に脚部９を挿通するようにしてもよい。
【符号の説明】
【００３０】
１…組織回収袋、  ２…袋状体、  ３…開口部、  ４…開口維持部材、  ７…閉じ紐、  ８，８ａ…脚部挿通孔、  ９…脚部、  １０…接合部。
【図１】
0005503257.tif 000002
【図２】
0005503257.tif 000003
【図３】
0005503257.tif 000004
【図４】
0005503257.tif 000005
【図５】
0005503257.tif 000006